【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
老化したもしくは不活性な有機コーティングを活性化させて以後のコーティング及び／又は接着剤、シーラント、ピンホール充填剤、及び圧着デカール又はロゴから選択される他のものとの接着性を高める方法であって、溶媒及び表面還元、表面加水分解、表面酸化、表面交換、光に誘発される表面改質を容易にする物質、及び／又は前記コーティングの表面に化学官能基を付加する表面化学及び／又は表面形状改質物質を前記有機コーティングに塗布するステップを含む方法。
【請求項２】
前記表面還元を容易にする物質が還元剤である、請求項１に記載の方法。
【請求項３】
前記還元剤が、水素化ホウ素ナトリウム、水素化ホウ素リチウム、水素化ホウ素カリウム、水素化ホウ素亜鉛、水素化ホウ素カルシウム、及びそれらのアルコキシ、アセトキシ、及び／又はアミノ誘導体；シアノ水素化ホウ素ナトリウム、ボラン及びボラン錯体；水素化リチウムアルミニウム；ジイソブチル水素化アルミニウム；水素化カルシウム；水素化ナトリウム；ナトリウムビス（2-メトキシエトキシ）水素化アルミニウム；及びセレクトライド類、例えばK-セレクトライド（トリ-sec-水素化ホウ素ブチルカリウム）、から選択される、請求項２に記載の方法。
【請求項４】
前記表面加水分解を容易にする物質が酸である、請求項１に記載の方法。
【請求項５】
前記酸は有機酸又は無機酸である、請求項４に記載の方法。
【請求項６】
前記有機酸は、ギ酸、酢酸、安息香酸、プロパン酸、マロン酸、蓚酸、及びケンプ三酸から選択される、請求項５に記載の方法。
【請求項７】
前記無機酸がリン酸である、請求項５に記載の方法。
【請求項８】
前記表面酸化を容易にする物質が酸化剤である、請求項１に記載の方法。
【請求項９】
前記酸化剤が、トリクロロイソシアヌル酸、次亜塩素酸ナトリウム、過酸化水素、過マンガン酸カリウム、クロム酸カリウム、過ヨウ素酸、及び四酢酸鉛から選択される、請求項８に記載の方法。
【請求項１０】
前記表面交換もしくはエステル交換を容易にする物質が、アルキルチタネート、アルキルチタネートキレート、アルキルジルコネート、アルキルジルコネートキレート、又はそれらの組み合わせである、請求項１に記載の方法。
【請求項１１】
前記表面交換もしくはエステル交換を容易にする物質が、テトライソプロピルチタネート、テトラ-n-プロピルチタネート、テトラ-n-ブチルチタネート、テトラ-2-エチルヘキシルチタネート、テトラエチルチタネート、トリエタノールアミンチタネートキレート、テトラ-n-プロピルジルコネート、テトラ-n-ブチルジルコネート、及びトリエタノールアミンジルコネートキレートから選択される、請求項１０に記載の方法。
【請求項１２】
前記表面交換もしくはエステル交換を容易にする物質が、テトラ-n-プロピルチタネート又はテトラ-n-プロピルジルコネートである、請求項１１に記載の方法。
【請求項１３】
前記光に誘発される表面改質を容易にする物質が、フリーラジカル重合開始剤、又はフリーラジカル重合開始剤と第三級アミン及び／又はモノ又はマルチ官能性不飽和分子種の組み合わせである、請求項１に記載の方法。
【請求項１４】
前記フリーラジカル重合開始剤は可視光で活性化される重合開始剤である、請求項１３に記載の方法。
【請求項１５】
前記可視光で活性化される重合開始剤が、カンファーキノンとその誘導体；ベンゾフェノンとその誘導体；ジエチルアミノベンゾフェノン；及びフェニルフォスフィンオキシド誘導体から選択される、請求項１４に記載の方法。
【請求項１６】
前記第三級アミン物質が、N,N-ジメチルトルイジン、N,N-ジメチルアミノエチルメタクリレート、メチルイミダゾール、N,N,N',N'-テトラメチル-1,4-ブタンジアミン、及びN,N,N',N'-テトラメチルフェニレンジアミンから選択される、請求項１３に記載の方法。
【請求項１７】
前記多官能性不飽和分子種が、アクリレート、メタクリレート、及びアクリルアミドから選択される、請求項１３に記載の方法。
【請求項１８】
前記改質物質が、溶媒と改質物質を合わせた全重量を基準として約0.001％を超える量で存在する、請求項１に記載の方法。
【請求項１９】
前記改質物質が、溶媒と改質物質を合わせた全重量を基準として約0.01％〜約20％という量で存在する、請求項１８に記載の方法。
【請求項２０】
前記改質物質が、その構成成分からその場で調製される、請求項１に記載の方法。
【請求項２１】
前記溶媒が有機溶媒及び水から選択される、請求項１に記載の方法。
【請求項２２】
前記有機溶媒が、エステルをベースとする溶媒、ケトン類、アルコール類、エーテル類、アミド類、芳香族、及びハロゲン化溶媒から選択される、請求項２１に記載の方法。
【請求項２３】
前記溶媒が、酢酸エチル、酢酸エトキシエチル、酢酸イソプロピル、第三級酢酸ブチル、メチルプロピルケトン、メチルアミルケトン、メチルイソアミルケトン、メチルエチルケトン、エタノール、メタノール、エトキシエタノール、プロパノール、イソプロピルアルコール、ブタノール、第三級ブタノール、第二級ブタノール、エチレングリコール及びプロピレングリコール、及びそのＣ1-6アルキルエーテル、テトラヒドロフラン、N-メチルピロリジノン；及び水から選択される、請求項２１に記載の方法。
【請求項２４】
前記溶媒が、ジプロピレングリコールジメチルエーテル：第三級酢酸ブチル；ジプロピレングリコールジメチルエーテル：イソプロパノール、メタノール、イソブタノール、第二級ブタノール、第三級ブタノール、エトキシエタノール及び／又はエチルヘキサノール；エチレングリコールモノメチルエーテル：エタノール、メタノール、エトキシエタノール及び／又はイソプロパノール；ジプロピレングリコール−モノメチルエーテル、ジプロピレングリコール−モノブチルエーテル、及び／又はジプロピレングリコール；組み合わせ、テトラヒドロフラン：トリグライム；テトラヒドロフラン：ジプロピレングリコールジメチルエーテル；メチルエチルケトン：エトキシエチルアセテート；メチルアミルケトン：エトキシエチルアセテート；N-メチルピロリジノン：酢酸エチル；酢酸エチル：ベンジルアルコール；ジプロピレングリコールジメチルエーテル：ポリエチレン；及びメチルプロピルケトン：メチルエチルケトンの組み合わせである、請求項２１に記載の方法。
【請求項２５】
前記溶媒がジプロピレングリコールジメチルエーテルとイソプロパノールの組み合わせである、請求項２４記載の方法。
【請求項２６】
前記溶媒が、溶媒と改質物質を合わせた全重量を基準として、約99.999％未満の量で存在する、請求項１に記載の方法。
【請求項２７】
前記溶媒が、溶媒と改質物質を合わせた全重量を基準として、約80％〜約99.99％の量で存在する、請求項２６に記載の方法。
【請求項２８】
前記コーティングに添加剤も塗布される、請求項１に記載の方法。
【請求項２９】
前記添加剤が、レオロジー改質剤、成膜剤、湿潤剤、界面活性剤、分散剤、発泡防止剤、腐食防止剤、安定化剤、平滑化剤、顔料、色素、及びルイス酸から選択される、請求項２８に記載の方法。
【請求項３０】
前記添加剤が、溶媒、改質物質及び添加剤を合わせた全重量を基準として、約10％未満の量で存在する、請求項２８に記載の方法。
【請求項３１】
前記溶媒、改質物質、及び存在する場合添加剤が、同時に、順次、又は別々に塗布される、請求項２８に記載の方法。
【請求項３２】
前記溶媒、改質物質、及び存在する場合添加剤が、活性化処理剤という形で同時に塗布される、請求項３０に記載の方法。
【請求項３３】
前記溶媒、改質物質、及び存在する場合添加剤が、スプレー、ブラシ、ディップ、ナイフ、ブレード、ホース、ローラー、ワイパー、カーテン、フラッド、フロー、ミスト、ピペット、又はそれらの組み合わせによって塗布される、請求項３０に記載の方法。
【請求項３４】
前記有機コーティングが、ポリウレタン、エポキシ、ポリエステル、ポリカーボネート、及び／又はアクリルコーティングである、請求項１に記載の方法。
【請求項３５】
過剰な溶媒及び／又は改質物質が、溶媒又は水によるゆすぎ；ドライ、水又は溶媒によるワイピング；空気又はガスナイフ；真空作用；スキージー；及び／又は自然又は強制対流蒸発によって除去される、請求項１に記載の方法。
【請求項３６】
活性化されたコーティングを有し、以後のコーティング及び／又は接着剤、シーラント、ピンホール充填剤、及び圧着デカール又はロゴから選択される他のものに対する該コーティングの接着性が、溶媒及び表面還元、表面加水分解、表面酸化、表面交換、光に誘発される表面改質を容易にする物質、及び／又は前記コーティングの表面に化学官能基を付加する表面化学及び／又は表面形状改質物質を前記コーティングに塗布することによって高められている基板。
【請求項３７】
前記基板が、金属、複合材料、プラスチック、エラストマー、又はガラス、ウッド、又は布を含む材料である、請求項３６に記載の基板。
【請求項３８】
有機コーティングの活性化処理剤であって、以後のコーティング及び／又は接着剤、シーラント、ピンホール充填剤、及び圧着デカール又はロゴから選択される他のものに対する前記コーティングの接着性を高めるために溶媒及び表面還元、表面加水分解、表面酸化、表面交換、光に誘発される表面改質を容易にする物質、及び／又は前記コーティングの表面に化学官能基を付加する表面化学及び／又は表面形状改質物質を含む活性化処理剤。
【請求項３９】
請求項３８に記載の活性化処理剤を調製する方法であって、前記溶媒を表面還元、表面加水分解、表面酸化、表面交換、光に誘発される表面改質を容易にする物質、及び／又は前記コーティングの表面に化学官能基を付加する前記表面化学及び／又は表面形状改質物質と混合するステップを含む方法。